(57)【要約】【課題】  ケースの底面にあるケース開口部から容易にダストボックスを着脱可能とした空気調和装置を提供する。【解決手段】  ケース４０の底面に形成されたケース開口部５１ａに着脱可能となるダストボックス７０を設置し、操作部７１の側面にボックス突出部７１ｂが形成され、ダストボックス７０をケース４０に装着したとき、ボックス突出部７１ｂがケース開口部５１ａの縁に引っ掛かることでダストボックス７０が支持され、ボックス突出部７１ｂの形成位置と対向する方向へ付勢することでケース開口部５１ａへの引っ掛かり状態が解除され、ダストボックス７０が取り外されるので、複雑な構成を要することなくケース４０からダストボックス７０の装着及び取り外し作業が可能となる。【選択図】  図６
2020012570.tif 000002
【特許請求の範囲】
【請求項１】
壁面に取り付けられたケースと、
当該ケースの底面に開けられたケース開口部の縁に着脱可能に設けられ前記ケース内部の塵埃が収集されるダストボックスと、を備え、
前記ダストボックスは、指を挿入して操作可能な摘まみ部が形成された操作部と、塵埃を収容可能な収集部と、前記操作部と前記収集部とを接続する接続部とで構成され、
前記操作部の側面にボックス突出部が形成され、前記ダストボックスを前記ケースに装着したとき、前記ボックス突出部が前記ケース開口部の縁に引っ掛かることで前記ダストボックスが支持され、前記ボックス突出部の形成位置と対向する方向へ前記摘まみ部を付勢することで前記ケース開口部への引っ掛かり状態が解除され、前記ダストボックスが前記ケースから取り外されることを特徴とする空気調和装置。
【請求項２】
前記ダストボックスの略中心位置を境にして下方向が開口した底のない容器状の前記摘まみ部が互いに対向するよう２つ形成されると共に、中心から最も離れた前記摘まみ部の端面に前記ボックス突出部が形成され、
前記ダストボックスは、対向する前記摘まみ部を前記ダストボックスの中心に向けて付勢することで前記接続部が変位して前記摘まみ部が動作し前記ボックス突出部が前記ケース開口部の縁から外れ、前記ケース開口部への引っ掛かり状態が解除されることを特徴とする請求項１記載の空気調和装置。
【請求項３】
前記ダストボックスは、前記摘まみ部への付勢が解除されると、前記接続部が元の状態に復元して前記摘まみ部が元の位置に戻ることで、前記ボックス突出部が前記ケース開口部の縁に引っ掛かることを特徴とする請求項２記載の空気調和装置。
【請求項４】
前記ダストボックスは、少なくとも前記ケースの左右幅の略半分より小さな左右幅を有することを特徴とする請求項２または３記載の空気調和装置。
【請求項５】
前記ダストボックスは、互いに対向する前記摘まみ部の間を仕切るリブ部が形成されたことを特徴とする請求項２から４のいずれか１項に記載の空気調和装置。
【発明の詳細な説明】
【技術分野】
【０００１】
この発明は、塵埃が収集されるダストボックスを備えた空気調和装置に関するものである。
【背景技術】
【０００２】
従来、この種のものでは、エアフィルタの塵埃を除去可能なフィルタ掃除手段をケース内部に備えた空気調和装置があり、定期的にフィルタ掃除手段が駆動することでエアフィルタの塵埃が除去され、除去された塵埃がケースに設置されたダストボックスに案内されることで塵埃が溜まり、ユーザーが定期的にダストボックスを取り外して溜まった塵埃を捨てるものがあった。（例えば、特許文献１）
【先行技術文献】
【特許文献】
【０００３】
【特許文献１】特開２００８−５７８８１号公報
【発明の概要】
【発明が解決しようとする課題】
【０００４】
しかし、この従来のものでは、押しボタンによりダストボックスを引き出す構造であることから、押しボタンとダストボックスとの間に回転体や板バネ等を組み合わせた複雑な機構を必要とする。
【０００５】
また、ダストボックスをケースから取り外すとき、一方の手で押しボタンを操作しつつ他方の手でダストボックスを受けなければならず、室内の高所に設けられたケースからダストボックスを取り外す作業時において、ユーザー自身の姿勢を維持することが難しく、ユーザーの姿勢が不安定になり誤ってダストボックスを床に落下させることが考えられることから、改善の余地があった。
【課題を解決するための手段】
【０００６】
上記課題を解決するために、本発明の請求項１では、壁面に取り付けられたケースと、
当該ケースの底面に開けられたケース開口部の縁に着脱可能に設けられ前記ケース内部の塵埃が収集されるダストボックスと、を備え、
前記ダストボックスは、指を挿入して操作可能な摘まみ部が形成された操作部と、塵埃を収容可能な収集部と、前記操作部と前記収集部とを接続する接続部とで構成され、
前記操作部の側面にボックス突出部が形成され、前記ダストボックスを前記ケースに装着したとき、前記ボックス突出部が前記ケース開口部の縁に引っ掛かることで前記ダストボックスが支持され、前記ボックス突出部の形成位置と対向する方向へ前記摘まみ部を付勢することで前記ケース開口部への引っ掛かり状態が解除され、前記ダストボックスが前記ケースから取り外されることを特徴としている。
【０００７】
また、請求項２では、前記ダストボックスの略中心位置を境にして下方向が開口した底のない容器状の前記摘まみ部が互いに対向するよう２つ形成されると共に、中心から最も離れた前記摘まみ部の端面に前記ボックス突出部が形成され、
前記ダストボックスは、対向する前記摘まみ部を前記ダストボックスの中心に向けて付勢することで前記接続部が変位して前記摘まみ部が動作し前記ボックス突出部が前記ケース開口部の縁から外れ、前記ケース開口部への引っ掛かり状態が解除されることを特徴としている。
【０００８】
また、請求項３では、前記ダストボックスは、前記摘まみ部への付勢が解除されると、前記接続部が元の状態に復元して前記摘まみ部が元の位置に戻ることで、前記ボックス突出部が前記ケース開口部の縁に引っ掛かることを特徴としている。
【０００９】
また、請求項４では、前記ダストボックスは、少なくとも前記ケースの左右幅の略半分より小さな左右幅を有することを特徴としている。
【００１０】
また、請求項５では、前記ダストボックスは、互いに対向する前記摘まみ部の間を仕切るリブ部が形成されたことを特徴としている。
【発明の効果】
【００１１】
この発明によれば、ケースの底面に形成されたケース開口部に着脱可能となるダストボックスを設置し、ダストボックスは、開口した下側に指を挿入して操作可能な摘まみ部が形成された容器状の操作部と、開口した上側により塵埃を収容可能な容器状の収集部と、操作部と収集部とを接続する接続部とで構成され、操作部の側面にボックス突出部が形成され、ダストボックスをケースに装着したとき、ボックス突出部がケース開口部の縁に引っ掛かることでダストボックスが支持され、ボックス突出部の形成位置と対向する方向へ摘まみ部を付勢することでケース開口部への引っ掛かり状態が解除され、ダストボックスがケースから取り外されるので、複雑な構造や他の部材を要することなくユーザーが容易にケースへのダストボックスの装着、及びケースからダストボックスを取り外すことが可能であり、使い勝手が向上する。
【００１２】
また、ダストボックスは、対向する摘まみ部が互いに近づく方向へ付勢することでケース開口部への引っ掛かり状態が解除されるので、操作部の摘まみ部がダストボックスの重心位置付近にあり、摘まみ部を指で挟むように動作させることでケースから取り外すことができることから、ダストボックス内の塵埃を除去するためユーザーがダストボックスをケースから取り外すとき、ユーザーが一方の手で摘まみ部を持ちダストボックスの姿勢を安定させつつ、他方の手で自己の姿勢を維持した状態で室内の上部から下ろすことが可能となるため、ダストボックスをケースから取り出す作業時においてユーザーの姿勢が崩れダストボックスを床面に落下させる虞がなく、ユーザーの使い勝手が向上する。
【００１３】
また、ダストボックスは、摘まみ部への付勢が解除されると、接続部が元の状態に復元して摘まみ部が元の位置に戻ることで、ボックス突出部がケース開口部の縁に引っ掛かるので、一方の手でダストボックスを持ち上げてケース開口部に押し込むだけでケースへの装着が完了することから、他方の手でユーザー自身の姿勢を維持しつつダストボックスをケースに装着できるため、ダストボックスをケースへ装着する作業時においてユーザーの姿勢が崩れダストボックスを床面に落下させる虞がなく、ユーザーの使い勝手が向上する。
【００１４】
また、ダストボックスは、少なくともケースの左右幅の略半分より小さな左右幅を有するので、ダストボックス自体がコンパクトであることから、ユーザーがダストボックスを一方の手で支持しつつ、他方の手で自己の姿勢を維持しながらダストボックスの装着あるいは取り外し作業を簡易に実施することができる。
【００１５】
また、ダストボックスは、互いに対向する摘まみ部の間を仕切るリブ部が形成されたので、ダストボックスをケースから取り外す時、摘まみ部に対し過剰に付勢力が加わり、摘まみ部の変位度合いが大きくなった場合に、リブ部により摘まみ部の変位が規制されるため、摘まみ部の変位が大きくなり接続部が折れて破損する事態を防止することができる。
【図面の簡単な説明】
【００１６】
【図１】本発明の実施例による空気調和装置を模式的に示した図である。
【図２】図１に示された室内機の斜視図である。
【図３】図２の３−３線断面図である。
【図４】図２に示された室内機の分解斜視図である。
【図５】図２に示された室内機の底面図である。
【図６】本実施形態のダストボックスを示す斜視図である。
【図７】図６の７−７線断面図である。
【図８】図６の８−８線断面図である。
【図９】図６に示されたダストボックスの外し方について説明する図である。
【発明を実施するための形態】
【００１７】
本発明の実施の形態を添付図に基づいて以下に説明する。なお、説明中、前後とは室内機の掛けられている壁から突出する方向を前とし、壁を後とする。また、図中Ｆｒは前、Ｒｒは後、Ｌｅは左、Ｒｉは右、Ｕｐは上、Ｄｎは下を示している。
＜実施例＞
【００１８】
図１を参照する。図１には、本発明による冷房装置を含む空気調和装置１０が示されている。空気調和装置１０は、屋内Ｉｎを冷却する冷房機能と、屋内Ｉｎを暖房する暖房機能と、を備えている。
【００１９】
空気調和装置１０は、屋外Ｏｕに設けられた室外機２０及び屋内Ｉｎに設けられた室内機３０を備えてなる。室外機２０と、室内機３０とは、冷媒を循環させることができるよう互いに接続されている。以下、特に説明のない限り、冷媒の循環する方向は、冷房運転時を基準とする。
【００２０】
室外機２０は、冷房運転時及び暖房運転時における冷媒の循環する方向を切り替える四路切替弁２１と、この四路切替弁２１を通過した冷媒が流され冷媒を圧縮する圧縮機２２と、この圧縮機２２において圧縮され高温高圧となった冷媒が流れる室外熱交換器２３と、この室外熱交換器２３に向かって送風を行う室外ファン２４と、室外熱交換器２３を通過した冷媒を減圧する膨張弁２５と、を有する。
【００２１】
図２及び図３を参照する。室内機３０は、屋内Ｉｎにおいて壁Ｗａに掛けて用いられる。室内機３０は、金属板製の支持板３１が壁Ｗａに固定され、この支持板３１によってケース４０が支持されてなる。ケース４０には、屋内Ｉｎの空気をケース４０内に取り込み屋内Ｉｎへ送風を行う室内ファン３３と、この室内ファン３３が取り込んだ空気と熱交換を行う複数の室内熱交換器３４と、これらの室内熱交換器３４の上方に配置されケース４０内への塵埃の侵入を抑制するフィルタユニット６０と、このフィルタユニット６０に付着した塵埃を絡め取る清掃ユニット３６と、この清掃ユニット３６が絡め取った塵埃を収集するダストボックス７０と、が収納されてなる。
【００２２】
図１を参照する。冷房運転時において、圧縮機２２で高温高圧とされた冷媒は、室外熱交換器２３において外気と熱交換を行い、熱を放出する。このとき、室外ファン２４が作動することによって、外気を強制的に室外熱交換器２３の外周に流し、熱交換を促す。室外熱交換器２３を通過し熱を放出した冷媒は、膨張弁２５において減圧され、温度が低下する。
【００２３】
図３を参照する。室内ファン３３が作動することにより、ケース４０内には上部に開けられた空気導入口４２ａから空気が導入される。導入された空気は、室内熱交換器３４の外周を通過し、下部に開けられた送風口４２ｂから屋内Ｉｎに送風される。一方、室内熱交換器３４には、室外機２０において冷却された冷媒が供給されている。室内熱交換器３４の外周を通過する空気は、冷媒と熱交換を行い、冷却される。つまり、屋内Ｉｎには、冷却された空気が送風される。
【００２４】
図１を併せて参照する。暖房運転時には、四路切替弁２１が冷媒の流路を切り替え、冷房運転時とは逆方向に冷媒を循環させる。
【００２５】
図３を参照する。支持板３１は、金属製の１枚板が折り曲げられて形成されている。支持板３１は、平板状に形成されピン３８、３８を介して壁Ｗａに固定された固定板部３１ａと、この固定板部３１ａの下端から前方に折り曲げられ前方に突出している下部突出部３１ｂ（突出部３１ｂ）と、固定板部３１ａの上端から前方に折り曲げられ前方に突出している上部突出部３１ｃと、を有する。
【００２６】
下部突出部３１ｂは、固定板部３１ａの下端から前方に向かって略垂直に、前方に延びている。下部突出部３１ｂには、ケース４０の後部が掛けられている。図４を参照する。下部突出部３１ｂ、３１ｂは、左右に２箇所形成されている。
【００２７】
図３を参照する。上部突出部３１ｃは、側面視において略Ｌ字状を呈し、左右方向に連続して形成されている。上部突出部３１ｃの縦辺の上部は、ケース４０の形状に沿って上方に向かって斜め前方に延びている。上部突出部３１ｃには、ケース４０の後部が掛けられている。
【００２８】
図３を参照する。ケース４０は、支持板３１に支持された後部ケース体５０と、この後部ケース体５０に支持され室内ファン３３の後部を覆っている中央部ケース体４２と、この中央部ケース体４２に支持されフィルタユニット６０の前方を覆っている前部ケース体４３と、を有している。
【００２９】
後部ケース体５０は、例えば、樹脂成形により成形された樹脂成形品である。後部ケース体５０は、下端に位置しダストボックス７０が収納されるケース開口部５１ａが開けられたケース底部５１と、このケース底部５１の後端に一体的に形成され下部突出部３１ｂに掛けられた下部ケース爪部５２（ケース爪部５２）と、ケース開口部５１ａの後の縁から一体的に立ち上げられケース４０の後端を仕切るケース後壁部５３と、このケース後壁部５３の上端から前後に延びるケース天井部５４と、ケース天井部５４からケース底部５１までを接続しているケース側壁部５５（図４参照）と、ケース後壁部５３の上部から後方に突出し上部突出部３１ｃに掛けられた上部ケース爪部５６と、を有している。
【００３０】
図４を参照する。ケース開口部５１ａ、５１ａは、略矩形状を呈し、ケース底部５１の左右の２箇所に形成されている。
【００３１】
図５を参照する。ケース開口部５１ａ、５１ａは、共に、下部突出部３１ｂ、３１ｂの前方に位置している。ケース開口部５１ａの左右方向の中央位置Ｃ１は、下部突出部３１ｂの左右方向の中央位置から前方に延びる線ＣＬ上に位置する、ということもできる。
【００３２】
図３を参照する。下部ケース爪部５２は、ダストボックス７０の後方に位置している。
【００３３】
図８を併せて参照する。ケース後壁部５３は、ケース開口部５１ａの縁から上方に延びる後壁下部５３ａと、この後壁下部５３ａの上端から後斜め上方に延びる斜壁部５３ｂと、を有する。
【００３４】
後壁下部５３ａの下端には、略矩形状の開口である後壁穴部５３ｃが開けられている。後壁穴部５３ｃの後方には、下部ケース爪部５２が形成されている。後壁穴部５３ｃは、樹脂成形時に下部ケース爪部５２を形成するためのスライド型によって形成された穴である。
【００３５】
斜壁部５３ｂの下端である斜壁部下端部５３ｄの前端は、後壁下部５３ａの上端よりも前方に突出している。斜壁部下端部５３ｄは、ダストボックス７０の後部上端を覆っている。これにより、ダストボックス７０の後部上端に塵埃が溜まることを抑制している。
【００３６】
図３を参照する。中央部ケース体４２は、空気を取り入れるために上部に開けられた空気導入口４２ａと、冷却された空気を吹き出すために開けられた送風口４２ｂと、を有している。送風口４２ｂには、スイング可能にルーバー３９が設けられている。ルーバー３９をスイングさせることによって、送風口４２ｂを開閉し、風向きの調整を行う。
【００３７】
フィルタユニット６０は、空気導入口に沿って設けられた樹脂枠状の支持体６１と、この支持体６１上を移動可能に設けられたフィルタ６２と、このフィルタ６２に駆動力を伝達しフィルタ６２を前後方向に移動させる駆動機構６３と、清掃時に後退させたフィルタ６２が収納されるフィルタ収納部６４と、を有する。
【００３８】
フィルタ６２裏面の左右方向端部は、駆動機構６３に噛み合うラックが形成されている。
【００３９】
駆動機構６３は、駆動源としてのモータに、直接的又は間接的にピニオンギヤ６３ａが連結されてなる。ピニオンギヤ６３ａは、フィルタ６２に形成されたラックに噛み合っている。
【００４０】
清掃ユニット３６は、フィルタ６２に当接すると共に回転可能に設けられフィルタ６２に付着した塵埃を絡め取るブラシ３６ａと、このブラシ３６ａに当接しブラシ３６ａに付着した塵埃をブラシ３６ａから分離する分離部３６ｂと、を有する。
【００４１】
分離部３６ｂは、フィルタ収納部６４の上端に固定された櫛状の部材である。
【００４２】
ダストボックス７０は、側面視において略五角形に形成されている。より詳細には、長方形の上辺の前部から前辺の上部までを斜めに切り落とした五角形に形成されている。ダストボックス７０の前部に形成された斜辺に対応する部分は、フィルタ収納部６４の後面によって覆われている。
【００４３】
図４及び図５を参照する。ダストボックス７０、７０は、２つのケース開口部５１ａ、５１ａにそれぞれ取り付けられる。左右のダストボックス７０、７０は、それぞれの左右方向の幅がケース４０の左右方向の幅の半分より小さく、好ましくはフィルタ６２の左右幅とほぼ同等な左右幅であり、共に同じ構成である。このため、以下、左のダストボックス７０のみについて説明する。右のダストボックス７０については、説明を省略する。
【００４４】
ダストボックス７０は、例えば、樹脂成形によって一体的に形成されている。ダストボックス７０は、左右方向の中央の下端に摘まみ部７１ａを備えた操作部７１を有している。当該操作部７１は、下端方向が開口した略容器状の摘まみ部７１ａが前後方向で対向するよう２つ形成されており、ダストボックス７０の中心から最も離れた摘まみ部７１ａの前後方向の端面７１ｄ、７１ｄには、前後方向に突出するボックス突出部７１ｂが形成されている。そして、対向する２つの摘まみ部７１ａの前後方向の中心位置において、左右方向へ延び２つのつまみ部７１ａを仕切るリブ部７１ｃが形成されている。
【００４５】
図６を参照する。操作部７１の左右には、上端が開口した略容器状で塵埃が収集される収集部７２、７２が形成されている。収集部７２は、左右の端部に上方向に延びる突起７２ａが形成されている。当該突起７２ａは、ケース後壁部５３の斜壁部５３ｂとフィルタ収納部６４との間にあるダンパ８０の開閉のために設けられている。ダストボックス７０をケース開口部５１ａに装着したとき、突起７２ａがダンパ８０を押上げることで収集部７２への経路が開き、清掃ユニット３６で捕集したフィルタ６２の塵埃が捕集部７２内へ落下し溜めることが可能となる。また、ダストボックス７０をケース開口部５１ａから取り外したとき、突起７２ａがダンパ８０から離れることで収集部７２への経路が閉じ、斜壁部５３ｂとフィルタ収納部６２との間の経路から塵埃が床面に落下するのを防止可能となる。
【００４６】
ダストボックス７０の前後方向の側面には、ダストボックス７０の中央方向へ向けて所定距離だけ凹み、前方向と後ろ方向のそれぞれに２箇所ずつ位置する側面凹部７４と、当該２つの側面凹部７４に挟まれた位置にあり操作部７１の摘まみ部７１ａが収容される摘まみ収容凹部７５とが形成されている。
【００４７】
図６及び図７を参照する。ダストボックス７０の側面凹部７４と対向する位置まで操作部７１の端面７１ｄが左右方向に延びており、この側面凹部７４と対向する位置で端面７１ｄの上端と側面凹部７４とが接続部７３を介して接続されている。
【００４８】
図７を参照する。ダストボックス７０の操作部７１と収集部７２とは前記接続部７３により接続されている。接続部７３は、側面凹部７４から前方、あるいは後方へ延び、操作部７１の端面７１ｄ、７１ｄと接続している。接続部７３は、ダストボックス７０を構成する側面の厚さより薄肉化されるように形成されており、この厚さは、互いの摘まみ部７１ａを寄せるように付勢したら、接続部７３が変位して摘まみ部７１ａが動作し、摘まみ部７１ａの付勢を解除したら、接続部７３の復元力により摘まみ部７１ａが元の位置に戻る厚さである。
【００４９】
よって、ユーザーが摘まみ部７１ａに指を入れて互いの摘まみ部７１ａ同士を寄せるように付勢したとき、接続部７３が変位して摘まみ部７１ａ、７１ａが前後方向へ動作することで、ケース開口部５１ａの縁からボックス突出部７１ｂが外れ、ケース開口部５１ａからダストボックス７０を取り外すことができる。
【００５０】
また、ユーザーが摘まみ部７１ａから指を離し、互いの摘まみ部７１ａ同士を寄せる方向への付勢を解除すると、接続部７３は元の状態へ戻る復元力が働き、摘まみ部７１ａが元の位置に戻って静止するため、ケース開口部５１ａにダストボックス７０を押し込むだけでケース開口部５１ａの縁にボックス突出部７１ｂが引っ掛かり、ケース開口部５１ａにダストボックス７０を装着することができる。
【００５１】
図８を参照する。操作部７１は、下方に開口した略容器状の摘まみ部７１ａ、７１ａを前後方向に２つ有している。
【００５２】
前方の摘まみ部７１ａを構成する端面７１ｄには、前方に向かって突出しケース開口部５１ａの縁に掛かっているボックス突出部７１ｂが形成されている。後方の摘まみ部７１ａを構成する端面７１ｄには、後方に向かって突出しケース開口部５１ａの縁に掛かっているボックス突出部７１ｂが形成されている。ボックス突出部７１ｂ、７１ｂは、共に下方に向かって突出量が大きくなる扇形状を呈する。なお、後ろのボックス突出部７１ｂは、後壁穴部５３ｃの下端の縁に掛かっている、ということもできる。
【００５３】
２つの摘まみ部７１ａ、７１ａの間は左右の収集部７２、７２を繋ぐリブ部７１ｃによって仕切られている。
【００５４】
収集部７２は、前端の上部がフィルタ収納部６４の下端に沿って配置され、後端の上部が斜壁部下端部５３ｄの近傍に位置している。塵埃は、ケース後壁部５３とフィルタ収納部６４との間を落下する。このため、収集部７２は、塵埃の落下する部位の全体に臨んでいる、ということができる。
【００５５】
図９を参照する。摘まみ部７１ａ、７１ａは、ユーザーが指を入れることのできる部位であり、前後の摘まみ部７１ａ、７１ａに指を入れてリブ部７１ｃを挟み込むように付勢することで、ダストボックス７０の中央に向かって撓ませることができる。
【００５６】
摘まみ部７１ａ、７１ａをダストボックス７０の中央に向かって付勢することにより接続部７３が変位し、前後のボックス突出部７１ｂ、７１ｂは、ケース開口部５１ａの前後の幅内まで変位する。摘まみ部７１ａ、７１ａをダストボックス７０の中央に向かって付勢したままダストボックス７０を下方に下げることにより、ダストボックス７０をケース４０から外すことができる。
【００５７】
以下に、本発明の空気調和装置１０の作用について説明する。
【００５８】
図３を参照する。例えば、空気調和装置１０は、冷房運転を終えると、清掃運転を開始する。清掃運転時には、駆動機構のモータが作動する。駆動機構６３のモータが作動すると、ピニオンギヤ６３ａが回転しフィルタ６２を後退させる。後退するフィルタ６２は、フィルタ収納部６４に沿って後退する。フィルタ６２の表面には、ブラシ３６ａが当接しており、ブラシ３６ａが回転しながらフィルタ６２に付着した塵埃を絡め取る。ブラシ３６ａには、分離部３６ｂが当接している。さらにブラシ３６ａが回転することにより、塵埃は、分離部３６ｂによってブラシ３６ａから分離される。分離された塵埃は、フィルタ収納部６４とケース後壁部５３との間を通過してダストボックス７０に落下し、収集される。
【００５９】
図９を参照する。空気調和装置１０の操作者は、清掃運転の終了後にダストボックス７０をケース４０から取り外し、ダストボックス７０内の塵埃を廃棄する。操作部７１の摘まみ部７１ａ、７１ａがダストボックス７０の前後方向の中心に対して対向するように配置されたことで、ダストボックス７０をケース４０の底面から取り出すとき、ダストボックス７０の重心付近となる摘まみ部７１ａを一方の手の指で支持しながらケース４０が設置された室内の高所からダストボックス７０を下ろし、他方の手でユーザー自身の姿勢を維持することができるため、ダストボックス７０を取り出す時にユーザーの姿勢が崩れてダストボックス７０が傾き、収集部７２内の塵埃が床面に落下することを未然に防止することができる。
【００６０】
塵埃を廃棄した後は、ダストボックス７０をケース開口部５１ａに向かって押し込む。ボックス突出部７１ｂ、７１ｂは、下方に向かって突出量が連続的に増加している。このため、ダストボックス７０をケース４０に向かって付勢することにより、ボックス突出部７１ｂ、７１ｂは、ケース開口部５１ａの縁によって前後方向の中央部に押し込まれる。さらに付勢することにより、ボックス突出部７１ｂ、７１ｂは、ケース開口部５１ａを通過し、図８に示すように元の形状に戻る。これにより、ダストボックス７０の装着が終わる。ダストボック７０内の塵埃の除去が完了し室内機３０の底面に再度装着するとき、ダストボックス７０の重心付近を一方の手の指で支持しながら室内機３０が設置された室内の高所へダストボックス７０を上げつつ、ユーザー自身の姿勢を他方の手で維持することができるため、ダストボックス７０の装着作業時にユーザーの姿勢が崩れてダストボックス７０が傾くことで操作部７１から滑り落ち、ダストボックス７０が床面に落下することを未然に防止することができる。
【００６１】
なお、清掃運転が開始される条件は、冷房運転の終了時に自動的に開始される場合に限られない。操作者による清掃運転の開始操作によって、清掃運転が開始されてもよい。このほか、任意の条件によって清掃運転を開始させることができる。
【００６２】
図５を参照する。１つのダストボックス７０の左右幅はケース４０の左右幅の略半分よりも小さく、フィルタ６２の左右幅とほぼ同等なので、清掃ユニット３６により捕集された塵埃をダストボックス７０の収集部７２内へ確実に入れることができ、また、ダストボックス７０をケース開口部５１ａから取り外すとき、ダストボックス７０がコンパクトであることから、室内の高所に位置する摘まみ部７１ａを片手で操作して取り外すことができ、また、ダストボックス７０をケース開口部５１ａに装着するときにも、摘まみ部７１ａを片手で支持しながら室内の高所に持ち上げることができることから、ユーザーが一方の手でダストボックス７０を支持しつつ、他方の手で自己の姿勢を維持することができるため、バランスを崩すことなく安定した姿勢でダストボックス７０をケース開口部５１ａに装着、あるいは取り外すことができる。
【００６３】
図９を参照する。ダストボックス７０をケース４０から取り外すため摘まみ部７１ａ、７１ａを前後方向の中心に向けて付勢するとき、摘まみ部７１ａに加わる力が大きいと操作部７１の変位が大きくなり摘まみ部７１ａがダストボックス７０の前後方向の中心位置を超えようとするが、リブ部７１ｃにより規制されることで摘まみ部７１ａがダストボックス７０の前後方向の中心を超えることがないため、ダストボックス７０をケース４０から取り外すときに接続部７３に大きな力が加わり、接続部７３が折れて損傷することを未然に防止することができる。
【００６４】
なお、本実施形態では室内に調和された空気を送風する室内機３０内に備えたフィルタ６２に付着する塵埃を清掃ユニット３６により捕集する構成を備え、清掃ユニット３６により捕集された塵埃を溜めるダストボックス７０について記載したが、本発明は本実施形態に限定されるものではなく、本発明の主旨から外れない別実施形態も含むものであり、例えば、ケース４０の底面に設置される点検用の穴を閉塞するためのボックスについて、本発明の構成を適用してもよいものであり、要は、室内の高所壁面に取り付けられたケース４０の底面から脱着可能なボックス状のものであれば、本発明の範疇に入る。
【００６５】
また、本発明の実施形態ではダストボックス７０の摘まみ部７１ａ、７１ａが前後方向の中心に対向するように形成されているが、ダストボックスの下端に摘まみ部７１ａが一つだけ形成されボックス突出部７１ｂによりケース開口部５１ａに支持されたものであってもよく、また、左右方向の中心に対向するように摘まみ部７１ａを形成していてもよいものであり、摘まみ部７１ａの数や位置について本発明の主旨に沿う形状であれば特に限定されないものである。
【符号の説明】
【００６６】
１０    空気調和装置
４０    ケース
５１ａ  ケース開口部
７０    ダストボックス
７１    操作部
７１ａ  摘まみ部
７１ｂ  ボックス突出部
７１ｃ  リブ部
７１ｄ  端面
７２    収集部
７３    接続部
【図１】
2020012570.tif 000003
【図２】
2020012570.tif 000004
【図３】
2020012570.tif 000005
【図４】
2020012570.tif 000006
【図５】
2020012570.tif 000007
【図６】
2020012570.tif 000008
【図７】
2020012570.tif 000009
【図８】
2020012570.tif 000010
【図９】
2020012570.tif 000011